(57)【要約】【課題】イヤホンやマイクの必要なく相手と会話をすることができるインターネットカメラを提供する。【解決手段】  カメラ部とインターネット電話部からなり、インターネット電話部が異なるデータである映像と音楽とを一体にするＵＳＢ集線装置集積回路と、ケーブルを通してＵＳＢ集線装置集積回路のデジタル信号を送信し、デジタル信号を解読して音声として受信できるようにするＵＳＢインターネット電話集積回路と、音声信号を拡大する音声アンプ回路と、音声信号が反響して発生する雑音を消去するエコー消去回路とを含み、カメラ部が上層を映像感光ユニット、下層を回路処理構造の映像専用集積回路とし、外部から受信した色彩や光線の輝度の変化などの異なる信号を処理し、ＵＳＢ集線装置集積回路に送信できるようようにＵＳＢ送受信ルールのデジタル形態に合わせて解析するＵＳＢ映像感知集積回路とを含んでなる。【選択図】  図１
0003130827.tif 000002
【実用新案登録請求の範囲】
【請求項１】
カメラ部とインターネット電話部からなり、
該インターネット電話部が異なる種類のデータである映像と音楽とを一体にするＵＳＢ集線装置集積回路と、
ケーブルを通してＵＳＢ集線装置集積回路のデジタル信号を送信するとともに、該デジタル信号を解読して音声として受信できるようにするＵＳＢインターネット電話集積回路と、
音声信号を拡大する音声アンプ回路と、
音声信号が反響して発生する雑音を消去するために供するエコー消去回路と、を含んでなり、
該カメラ部が上層を映像感光ユニット、下層を回路処理構造の映像専用集積回路とし、外部から受信した様々な色彩や光線の輝度の変化などの異なる信号を処理するとともに、ＵＳＢ集線装置集積回路に送信できるようようにＵＳＢ送受信ルールのデジタル形態に合わせて解析するＵＳＢ映像感知集積回路とを含んでなることを特徴とするインターネットカメラ。
【請求項２】
前記ＵＳＢ集線装置集積回路がＵＳＢコネクタを具えたケーブルと外部で接続することを特徴とする請求項１に記載のインターネットカメラ。
【請求項３】
前記ＵＳＢインターネット電話集積回路がキーボードユニットと接続することを特徴とする請求項１に記載のインターネットカメラ。
【請求項４】
前記音声アンプ集積回路がスピーカーに接続することを特徴とする請求項１に記載のインターネットカメラ。
【請求項５】
前記音声アンプ集積回路がイヤホンコネクタを具えてなり、外部接続式のイヤホンを接続することができることを特徴とする請求項１に記載のインターネットカメラ。
【請求項６】
前記エコー消去回路が外部にマイクを接続することができることを特徴とする請求項１に記載のインターネットカメラ。
【請求項７】
前記エコー消去回路が外部接続式のマイクを接続することができるマイクコネクタを設けてなることを特徴とする請求項１に記載のインターネットカメラ。
【請求項８】
前記映像感光ユニットが光学レンズに接続することを特徴とする請求項１に記載のインターネットカメラ。
【請求項９】
前記カメラ部の長手方向に垂直な両側面の適宜な位置には回動自在に調整ボタンが設けられ、該調整ボタンがインターネット電話部の両側に設けられた切り欠き溝を具えた延伸アームに対応して設けられることを特徴とする請求項１に記載のインターネットカメラ。
【請求項１０】
前記キーボードユニットが通話ボタン、切断ボタン、音量上昇ボタン、音量低下ボタン、スイッチなどを含んでなることを特徴とする請求項３に記載のインターネットカメラ。
【考案の詳細な説明】
【技術分野】
【０００１】
この考案は、インターネットカメラに関し、特にインターネットを通して相手の顔をみながら会話を行うことができるインターネットカメラに関する。
【背景技術】
【０００２】
現在、インターネット業者は視覚的な情報の送受信の品質の強化と改善を相次いで行うとともに、多くのＩＣメーカーとＵＳＢ２．０インターネットカメラチップを販売して映像信号の送受信の速度の上昇と読み取る速さを大幅に上昇させた。このため、インターネットカメラは次第に流行し、ユーザーの間に浸透してきている。
【０００３】
インターネットカメラは将来、マウスやキーボードと同じようにコンピュータの一般的な周辺設備になり、遠距離での映像の送受信でも、速度が遅い、停滞、映像が停止するなど重大な欠点がなく、画質が更に鮮明になり遠距離の友人、或いは顧客とまるで隣で会議をしているかのような親近感と臨場感を味わうことができるようになるといわれている。
【０００４】
インターネットの関する技術や電子関連技術の進歩により、打ち合わせや、途中成果の検討などは、テレビやコンピュータなどの画像表示装置の映像を通した会議でお互いの意見や、見解などの交換、実物を映してお互いに確認すること、或いは様々な図表を映して比較することができるようになった。このため交通費の支出や出張などで移動に費やす時間や労力を大幅に削減することができ、作業の効率を高められた。
【０００５】
現在、インターネットカメラの使用状況をみると、カメラのレンズの前に坐り、耳にイヤホンをつけ、マイクか、或いはマイク付きのイヤホンをつけて相手と話をしている。
【０００６】
しかしながら、前述のように装置を身につけて話をするような状況では、実際に相手と会って話しているような臨場感を味わうことができず、見つけている装置などで顔の一部が見えないことがある。また、イヤホンやマイクなどを身につけた様子はアナウンサーか、或いは受け付け担当者と話しているような間隔を与えるため、親近感が得られない。また、イヤホンは長時間携帯していると、聴力が衰えると専門家から指摘されており、安全性の面や、イヤホンか、マイクか、マイク付きイヤホンのうちのどれを装備しているかにかかわらず、現状では画面上のユーザーが互いに不自然な感じを相手に与える。
【考案の開示】
【考案が解決しようとする課題】
【０００７】
この考案は、イヤホンやマイクを使用することなく相手と会話をすることができるインターネットカメラを提供することを課題とする。
【課題を解決するための手段】
【０００８】
そこで、本考案者は従来の技術に見られる欠点に鑑みて鋭意研究を重ねた結果、カメラ部とインターネット電話部からなり、
該インターネット電話部が異なる種類のデータである映像と音楽とを一体にするＵＳＢ集線装置集積回路と、
ケーブルを通してＵＳＢ集線装置集積回路のデジタル信号を送信するとともに、該デジタル信号を解読して音声として受信できるようにするＵＳＢインターネット電話集積回路と、
音声信号を拡大する音声アンプ回路と、
音声信号が反響して発生する雑音を消去するために供するエコー消去回路と、を含んでなり、
該カメラ部が上層を映像感光ユニット、下層を回路処理構造の映像専用集積回路とし、外部から受信した様々な色彩や光線の輝度の変化などの異なる信号を処理するとともに、ＵＳＢ集線装置集積回路に送信できるようようにＵＳＢ送受信ルールのデジタル形態に合わせて解析するＵＳＢ映像感知集積回路とを含んでなるインターネットカメラの構造によって課題を解決できる点に着眼し、かかる知見に基づいて本考案を完成させた。
【０００９】
以下、この考案について具体的に説明する。
請求項１に記載のインターネットカメラは、カメラ部とインターネット電話部からなり、
該インターネット電話部が異なる種類のデータである映像と音楽とを一体にするＵＳＢ集線装置集積回路と、
ケーブルを通してＵＳＢ集線装置集積回路のデジタル信号を送信するとともに、該デジタル信号を解読して音声として受信できるようにするＵＳＢインターネット電話集積回路と、
音声信号を拡大する音声アンプ回路と、
音声信号が反響して発生する雑音を消去するために供するエコー消去回路と、を含んでなり、
該カメラ部が上層を映像感光ユニット、下層を回路処理構造の映像専用集積回路とし、外部から受信した様々な色彩や光線の輝度の変化などの異なる信号を処理するとともに、ＵＳＢ集線装置集積回路に送信できるようようにＵＳＢ送受信ルールのデジタル形態に合わせて解析するＵＳＢ映像感知集積回路とを含んでなる。
【００１０】
請求項２に記載のインターネットカメラは、請求項１におけるＵＳＢ集線装置集積回路がＵＳＢコネクタを具えたケーブルと外部で接続する。
【００１１】
請求項３に記載のインターネットカメラは、請求項１におけるＵＳＢインターネット電話集積回路がキーボードユニットと接続する。
【００１２】
請求項４に記載のインターネットカメラは、請求項１における音声アンプ集積回路がスピーカーに接続する。
【００１３】
請求項５に記載のインターネットカメラは、請求項１における音声アンプ集積回路がイヤホンコネクタを具えてなり、外部接続式のイヤホンを接続することができる。
【００１４】
請求項６に記載のインターネットカメラは、請求項１におけるエコー消去回路が外部にマイクを接続することができる。
【００１５】
請求項７に記載のインターネットカメラは、請求項１におけるエコー消去回路が外部接続式のマイクを接続することができるマイクコネクタを設けてなる。
【００１６】
請求項８に記載のインターネットカメラは、請求項１における映像感光ユニットが光学レンズに接続する。
【００１７】
請求項９に記載のインターネットカメラは、請求項１におけるカメラ部の長手方向に垂直な両側面の適宜な位置には回動自在に調整ボタンが設けられ、該調整ボタンがインターネット電話部の両側に設けられた切り欠き溝を具えた延伸アームに対応して設けられる。
【００１８】
請求項１０に記載のインターネットカメラは、請求項３におけるキーボードユニットが通話ボタン、切断ボタン、音量上昇ボタン、音量低下ボタン、スイッチなどを含んでなる。
【考案の効果】
【００１９】
この考案によるインターネットカメラは、イヤホンやマイクを必要としないため、便利で実用的な効果を有する。
【考案を実施するための最良の形態】
【００２０】
この考案は、イヤホンやマイクを使用することなく相手と会話をすることができるインターネットカメラであって、カメラ部とインターネット電話部からなり、該インターネット電話部が異なる種類のデータである映像と音楽とを一体にするＵＳＢ集線装置集積回路と、ケーブルを通してＵＳＢ集線装置集積回路のデジタル信号を送信するとともに、該デジタル信号を解読して音声として受信できるようにするＵＳＢインターネット電話集積回路と、音声信号を拡大する音声アンプ回路と、音声信号が反響して発生する雑音を消去するために供するエコー消去回路と、を含んでなり、該カメラ部が上層を映像感光ユニット、下層を回路処理構造の映像専用集積回路とし、外部から受信した様々な色彩や光線の輝度の変化などの異なる信号を処理するとともに、ＵＳＢ集線装置集積回路に送信できるようようにＵＳＢ送受信ルールのデジタル形態に合わせて解析するＵＳＢ映像感知集積回路とを含んでなるインターネットカメラの構造と特徴を詳述するために具体的な実施例を挙げ、図示を参照にして以下に説明する。
【実施例】
【００２１】
図１は、この考案のインターネットカメラの電気回路を示したブロック図である。図面によれば、インターネットカメラ１は、カメラ部と、インターネット電話部の２つの部分を合わせて構成される。
【００２２】
インターネット電話部は、ＵＳＢ集線装置集積回路１０と、ＵＳＢインターネット電話集積回路１１と、音声アンプ回路１２と、エコー消去回路１３とを含んでなる。
【００２３】
該ＵＳＢ集線装置集積回路１０は、異なる映像と音声を一体にするとともに、ＵＳＢコネクタ２１１のケーブル２１を通してパーソナルコンピュータ２に接続する。
【００２４】
該ＵＳＢインターネット電話集積回路１１は、ケーブル２１を通してＵＳＢ集線装置集積回路１０のデジタル信号を送信するとともに、該デジタル信号を解読して音声として受信できるようにするとともに、キーボードユニット１１１に接続する。
【００２５】
該音声アンプ回路１２は、音声信号を拡大する作用を有し、ユーザーが外部のスピーカー１２１で音声をはっきりと聞くことができる音量に調整する。また、該音声アンプ回路１２はイヤホンコネクタ１２２を具えてなり、該イヤホンコネクタ１２２には外部接続式のイヤホンを接続することができるため、周囲のユーザーの使用を妨げることがないとともに、個人情報を保護する作用も有する。
【００２６】
該エコー消去回路１３は、音声信号が反響して発生する雑音を消去するために供し、マイク１３１と、マイクコネクタ１３２を外部に接続する。該マイク１３１はユーザーの音声信号を受信し、弱い音声信号電圧を音声アンプ回路１２とＵＳＢインターネット電話集積回路１１に送信する。また、マイクコネクタ１３２は外部接続式のマイクを接続することができるため、周囲のユーザーの使用を妨げることなく、個人情報を保護する作用も有する。
【００２７】
カメラ部は、ＵＳＢ映像感知集積回路１４を含んでなる。該ＵＳＢ映像感知集積回路１４は、上層を映像感光ユニット、下層を回路処理構造の映像専用集積回路とする。該映像感光ユニットは外部に光学レンズ１４１を接続し、光学レンズ１４１で撮影した様々な色彩や光線の輝度の変化に反応して異なる信号を発生うる。これらの信号は映像専用集積回路を通してＵＳＢ集線装置集積回路１０に送信して処理できるようにＵＳＢ送受信ルールのデジタル形態に合わせて解析される。
【００２８】
また、この考案のインターネットカメラは使用する場合、パーソナルコンピュータ２に接続する必要がある。インターネットカメラ１はケーブル２１を介してＵＳＢ挿入孔２０、及びインターネットケーブル２３を通してスムーズにインターネットに接続するインターネット電話と駆動プログラムを接続する応用プログラムを具えた光ディスク２２などの周辺設備に接続する。
【００２９】
この考案のインターネットカメラで撮影された映像と音声データは異なるデータであるため、ＵＳＢ集線装置集積回路１０で一体化される。ＵＳＢインターネット電話集積回路１１は、ケーブル２１を通してＵＳＢ集線装置集積回路１０へデジタル信号を送信するとともに、該デジタル信号をユーザーが音声として聞こえるように解読し、音声アンプ回路１２を通してスピーカー１２１へ送信できるように拡大し、ユーザーがはっきりと聞こえる音量に調整する。また、マイク１３１を通して弱い音声電圧を取り入れて、該電圧を拡大した後、ＵＳＢのルールのデジタル形態に合わせて転換する。その後、ＵＳＢ集線装置集積回路１０、ケーブル２１を通してパーソナルコンピュータ２に送信し、インターネットを通して相手に伝送する。
【００３０】
ＵＳＢ映像感知集積回路１４は光学レンズ１４１を通して各種色彩や光線の輝度の変化を感知して異なる信号を発生する。該信号はＵＳＢ集線装置集積回路１０に送信できるようにＵＳＢ送受信ルールのデジタル形態に合わせて解析され、ケーブル２１を通してパーソナルコンピュータ２に送信された後、インターネットを通して目的の場所へデータが送信される。
【００３１】
使用する場合、インターネット電話Ｂの表面のキーボードユニット１１１を利用して音声の大きさや、電話をかける、きるなどを調整するとともに、イヤホンコネクタ１２２とマイクコネクタ１３２に外部接続式のイヤホンやマイクを挿接して他人の個人情報を保護することもできる。
【００３２】
図２は、この考案のインターネットカメラ１の外観を示した説明図であって、図面の左側を正面とする。図面によれば、この考案のインターネットカメラ１は上方に設けられたカメラ部Ａと、下方に設けられたインターネット電話部Ｂとを組み合わせて構成する。また、本体の後ろ側にはＵＳＢコネクタ２１１が設けられる。該ＵＳＢコネクタ２１１にはケーブル２１が挿接され、該ケーブル２１はパーソナルコンピュータ２に接続する。
【００３３】
図３は、この考案のインターネットカメラ１を示した分解図である。図面によれば、カメラ部Ａは長手方向に垂直な両側面に回動自在に設けられた調整ボタン１５と、表面に設けられた光学レンズ１４１とマイク１３１とを具えてなる。
【００３４】
また、インターネット電話部Ｂは長手方向に垂直な側面が上方に延伸して延伸アーム１６を形成し、該延伸アームには切り欠き溝１６１が形成される。該延伸アーム１６の切り欠き溝１６１にカメラ部Ａの調整ボタン１５を設けてカメラ部Ａとインターネット電話部Ｂとを接続するとともに、カメラ部Ａの調整ボタン１５によりカメラ部Ａを好みに応じて調整することができる。
【００３５】
また、インターネット電話部Ｂは、表面中央に設けられたスピーカー１２１と、該スピーカー１２１の周囲に設けられたキーボードユニット１１１と、後方面の適宜な位置に設けられたイヤホンコネクタ１２２とマイクコネクタ１３２（図示しない）とを具えてなる。該キーボードユニット１１１は通話ボタン１１２、切断ボタン１１３、音量上昇ボタン１１４、音量低下ボタン１１５、スイッチ１１６などを含んでなる。
【００３６】
使用する場合、最初にパーソナルコンピュータ２に光ディスク２２を設ける。光ディスク２２のプログラムはインターネット映像音楽送受信に対する応用プログラムであって、パーソナルコンピュータ２に映像処理プログラムとパーソナルコンピュータ２のカメラのＵＳＢインタフェイス回路との間を連接して支援する関係をインタフェイスのプログラムを通して構築する。プログラムを構築した後、ＵＳＢ挿入孔２０に挿入するインターネットカメラ１の識別が便利になる。インターネットカメラ１はケーブル２１のＵＳＢコネクタ２１１を通してパーソナルコンピュータ２の本体のＵＳＢ挿入孔２０に接続すると、パーソナルコンピュータ２がインターネットカメラ１を認識し、カメラ内のチップを駆動して正常に作動させるために必要な駆動プログラムを自動的に作成する。
【００３７】
図４は、この考案のインターネットカメラ１の使用状態を示した説明図である。図面によれば、カメラ部Ａは調整ボタン１５を延伸アーム１６の切り欠き溝１６１内で上下にスライドさせて高さを調整することができる。
【００３８】
図５は、この考案のインターネットカメラ１のもう一つの実施例を示した説明図である。図面によれば、カメラ部Ａは、調整ボタン１５を利用して回転させたり、角度を調整することができる。よって、ユーザーに最も適した角度で使用することができる。
【００３９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４０】
【図１】この考案によるインターネットカメラの回路を示したブロック図である。
【図２】この考案によるインターネットカメラの外観を示した斜視図である。
【図３】この考案によるインターネットカメラを示した分解図である。
【図４】この考案によるインターネットカメラの使用状態を示した説明図である。
【図５】この考案によるインターネットカメラのもう一つの実施例を示した説明図である。
【符号の説明】
【００４１】
１       インターネットカメラ
１０     ＵＳＢ集線装置集積回路
１１     ＵＳＢインターネット電話集積回路
１１１   キーボードユニット
１１２   通話ボタン
１１３   切断ボタン
１１４   音量上昇ボタン
１１５   音量低下ボタン
１１６   スイッチ
１２     音声アンプ回路
１２１   スピーカー
１２２   イヤホンコネクタ
１３     エコー消去回路
１３１   マイク
１３２   マイクコネクタ
１４     ＵＳＢ映像感知集積回路
１４１   光学レンズ
１５     調整ボタン
１６     延伸アーム
１６１   切り欠き溝
２       パーソナルコンピュータ
２０     ＵＳＢ挿入孔
２１     ケーブル
２１１   ＵＳＢコネクタ
２２     光ディスク
２３     インターネットケーブル
Ａ       カメラ部
Ｂ       インターネット電話部
【図１】
0003130827.tif 000003
【図２】
0003130827.tif 000004
【図３】
0003130827.tif 000005
【図４】
0003130827.tif 000006
【図５】
0003130827.tif 000007